(57)【要約】【課題】魚の川下側から川上側への遡上を容易にした魚道を提供する。【解決手段】階段状に設けられた段差部２・・・を有する魚道３と、魚道３の少なくとも一方に、河川の水の流れる方向に沿って設けられた起立壁４ａとを備え、段差部２・・・は、断面視した場合、河川の水の流れる方向に沿って、上側となる平面部６、縦壁面部７及び下側となる平面部８が連続するようにして形成されており、且つ、段差部２・・・の上側となる平面部６上に、起立壁４ａから魚道３の中央方向に張出すように第１の傾斜面１１が設けられている。【選択図】図１
2008184762.tif 000002
【特許請求の範囲】
【請求項１】
階段状に設けられた段差部を有する魚道と、
前記魚道の少なくとも一方に、河川の水の流れる方向に沿って設けられた起立壁とを備え、
前記段差部は、断面視した場合、河川の水の流れる方向に沿って、上側となる平面部、縦壁面部及び下側となる平面部が連続するようにして形成されており、且つ、
前記段差部の上側となる平面部上に、前記起立壁から前記魚道の中央方向に張出すように第１の傾斜面が設けられている、魚道構造物。
【請求項２】
前記第１の傾斜面が、
その頂点部分を前記起立壁上に有し、且つ、
前記第１の傾斜面を平面視した場合、その底辺が、前記起立壁と前記魚道の一端とにより形成される谷線の途中の位置と、前記段差部を構成する、前記上側となる平面部と、前記縦壁面部とにより形成される稜線との間を結ぶように設けられている、請求項１に記載の魚道構造物。
【請求項３】
前記段差部の下側となる平面部上に、
前記第１の傾斜面の前記頂点部と、前記第１の傾斜面の前記底辺が、前記段差部を構成する、前記上側となる平面部と、前記縦壁面部とにより形成される稜線とが交わる交点との間を結ぶ辺に連続するように、前記起立壁に向かう第２の傾斜面が設けられている、請求項１又は請求項２に記載の魚道構造物。
【請求項４】
前記起立壁が、河川の護岸である、請求項１〜３のいずれかに記載の魚道構造物。
【発明の詳細な説明】
【技術分野】
【０００１】
本発明は、魚道構造物に関し、特に、魚の川下側から川上側への遡上を容易にした魚道構造物に関する。
【背景技術】
【０００２】
河川には、ダムや、堰堤や、頭首工や、滝等の落差の大きい場所がある。
【０００３】
河川に、ダムや、堰堤や、頭首工や、滝等の落差の大きい場所があると、例えば、魚がなわばりを求めたり、魚が産卵等をしたりするために、川下から川上に遡上する魚は、ダムや、堰堤や、頭首工や、滝等の落差の大きい場所によって、遡上が妨げられる。
【０００４】
このような問題を解決するために、堰堤等には、魚道構造物が設けられている。
【０００５】
図１５は、従来の魚道構造物の一例を摸式的に示す斜視図である。
【０００６】
従来、魚道構造物１０２は、例えば、堰堤１０５に設ける場合にあっては、図１５に示すように、堰堤１０５の中央又は概ね中央に凹所Ｃを設け、魚道１０３を堰堤１０５に形成した凹所Ｃの下流側に設けている。
【０００７】
この魚道構造物１０１は、階段状に設けられた段差部１０２・・・を有する魚道１０３と、河川の水の流れる方向に、魚道１０３の両端に起立するように設けられた起立壁１０４、１０４とを備える。
【０００８】
魚道構造物１０１は、必要により基礎工事をし、また、必要により鉄筋を用い、次いで、魚道構造物を製造する型枠（図示せず。）を組み立て、製造型枠（図示せず。）内にコンクリートを流し込み、流し込んだコンクリートが硬化した後に、型枠（図示せず。）を分解（脱型）すること等により作製（設置）される。
【０００９】
この例では、堰堤１０５の概ね中央に川の水を流す凹部１０６を形成し、魚道１０３は、凹部１０６の、河川の水の流れる方向の下流側に接続するように設けられている。
【００１０】
尚、図１５中、１１０は、河川の護岸を示している。
【００１１】
河川を遡上する魚は、例えば、堰堤１０５によって、遡上が妨害される場合に、魚道１０３の階段状に設けられた段差部１０２・・・を順次飛び越えて行くことで、河川の堰堤１０４よりも上流位置へ遡上できる。
【特許文献１】特開平６−１２８９２７号公報
【特許文献２】特開平６−２８０２３９号公報
【発明の開示】
【発明が解決しようとする課題】
【００１２】
しかしながら、図１５に示す、従来の魚道構造物１０１には、遡上する魚が、段差部１０２・・・を飛び跳ねて上って行く方向と逆方向に河川の水が流れており、従来の魚道構造物１０１には、水の抵抗により、魚にとって、段差部１０２・・・を遡上することが困難である、という問題がある。
【００１３】
また、図１６は、従来の魚道構造物１０１の一部を、段差部１０２を中心に、摸式的に示す平面図であり、また、図１７は、従来の魚道構造物１０１を、図１６中、ＸＶＩＩ−ＸＶＩＩ線に従って切断した状態を摸式的に示す断面図である。
【００１４】
段差部１０２は、断面視した場合、河川の水の流れる方向に沿って、上側となる平面部１０６、縦壁面部１０７及び下側となる平面部１０８が連続するようにして形成されている。
【００１５】
より具体的に説明すると、段差部１０２は、河川の上流側から下流側に向かって、上側となる平面部１０６、上側となる平面部１０６の下流側の一端に下方に垂れ下がるように連続するように形成された縦壁面部１０７、及び、縦壁面部１０７の下端に連続するように形成された下側となる平面部１０８を備える。
【００１６】
尚、本明細書では、図示する上の便宜上、上下に隣接する２つの段差部１０２、１０２の、上側に位置する段差部１０２の下側となる平面部１０８を、下側に位置する段差部１０２の上側となる平面部１０６として表している。
【００１７】
縦壁面部１０７の高さＨ１０７が、魚にとって飛び上がるのに、あまりにも高すぎる場合には、魚が、段差部１０２・・・を乗り越えられない、という問題もある。
【００１８】
また、魚の種類によっては、または、魚の習性として、河川を遡上する際に、河川の中央を遡上するのではなく、河川の岸辺や護岸１１０や護岸１１０の近傍を遡上する魚も沢山いる。
【００１９】
このような、河川の岸辺や護岸の近傍を遡上する魚は、河川の中央（堰堤１０５の中央又は概ね中央）に魚道１０１が設けられていても、河川の岸辺や護岸１１０の近傍を遡上しようとする結果、河川の堰堤１０５よりも上流位置へ遡上できない、という問題もある。
【００２０】
本発明者は、治水や利水等のために護岸工事があまり行われていない河川と、治水や利水等のために護岸工事が十分に行われている河川とを対比し、治水や利水等のために護岸工事が十分に行われている河川には魚が少なく、治水や利水等のために護岸工事があまり行われていない河川には魚が多くいるのか？、について興味を持つようになった。
【００２１】
そして、本発明者は、堰堤や頭首工等の護岸工事があまり行われていない河川には、わんどのような水のよどんだ場所がある一方、堰堤や頭首工等の護岸工事が十分に行われている河川にはそのような水のよどんだ場所が少なくなっており、堰堤や頭首工等の護岸工事が十分に行われている河川に魚を増やすためには、水のよどんだ場所を有する、魚が遡上し易い魚道を開発することが必要であると思い立ち、その後、鋭意努力・研究した結果、本発明を完成するに至った。
【００２２】
即ち、本発明は、魚が遡上し易い魚道を有する魚道構造物を提供することを目的としている。
【課題を解決するための手段】
【００２３】
請求項１に記載の魚道構造物は、階段状に設けられた段差部を有する魚道と、魚道の少なくとも一方に、河川の水の流れる方向に沿って設けられた起立壁とを備え、段差部は、断面視した場合、河川の水の流れる方向に沿って、上側となる平面部、縦壁面部及び下側となる平面部が連続するようにして形成されており、且つ、段差部の上側となる平面部上に、起立壁から前記魚道の中央方向に張出すように第１の傾斜面が設けられている。
【００２４】
請求項２に記載の魚道構造物は、請求項１に記載の魚道構造物の、第１の傾斜面が、その頂点部分を起立壁上に有し、且つ、第１の傾斜面を平面視した場合、その底辺が、起立壁と前記魚道の一端とにより形成される谷線の途中の位置と、前記段差部を構成する、前記上側となる平面部と、縦壁面部とにより形成される稜線との間を結ぶように設けられている。
【００２５】
請求項３に記載の魚道構造物は、請求項１又は請求項２に記載の魚道構造物が、段差部の下側となる平面部上に、第１の傾斜面の、第１の傾斜面の頂点部と、第１の傾斜面の底辺が、段差部を構成する、上側となる平面部と、縦壁面部とにより形成される稜線とが交わる交点との間を結ぶ辺に連続するように、前記起立壁に向かう第２の傾斜面が設けられている。
【００２６】
請求項４に記載の魚道構造物は、請求項１〜３のいずれかに記載の魚道構造物の、起立壁が、河川の護岸である。
【発明の効果】
【００２７】
請求項１に記載の魚道構造物は、段差部の上側となる平面部上に、起立壁から魚道の中央方向に張出すように設けられた第１の傾斜面を有するので、この魚道構造物では、魚道を流れる河川の水の中、第１の傾斜面にぶつかった水が、第１の傾斜面によって、河川の上流側から下流側に向かって斜め方向の流れになる。
【００２８】
そして、この魚道構造物では、魚道を、河川の上流側から下流側に向かって流れる河川の水の流れに、魚道を流れる河川の水の中、第１の傾斜面によって、河川の上流側から下流側に向かって斜め方向への水の流れが加わることで、魚道を、河川の上流側から下流側に向かって流れる水の流れが弱められたり、又は、第１の傾斜面の上流側の場所に、下流側から上流側に向かう渦が形成されたりする。
【００２９】
即ち、この魚道構造物では、魚道の段差部を遡上する魚が、段差部を飛び跳ねて上って行く方向と逆方向への河川の水の流れが弱められているので、水の抵抗が小さくなった分、魚にとっては、容易に、段差部を遡上することができる。
【００３０】
この結果、この魚道構築物を、河川のダムや、堰堤や、頭首工や、滝等の落差の大きい場所に設置すれば、例えば、魚がなわばりを求めたり、魚が産卵等をしたりするために、川下から川上に遡上する魚の遡上率が向上するので、その分、河川に魚を増やすことができる。
【００３１】
請求項２に記載の魚道構造物では、第１の傾斜面を平面視した場合、その底辺が、起立壁と魚道の一端とにより形成される谷線の途中の位置と、段差部を構成する、上側となる平面部と、縦壁面部とにより形成される稜線との間を結ぶように設けているので、段差部の下側の平面部の、第１の傾斜面の後ろ側（河川の川の水の流れに基づいて説明すれば、下流側）には、河川の水が流れ込み難い部分（よどんだ水の存在する場所）が形成される。
【００３２】
この結果、魚道の段差部を遡上する魚は、段差部の縦壁面部を泳ぎ飛び越えた後、河川の水が流れ込み難い部分（よどんだ水の存在する場所）に滞留できるので、段差部を泳ぎ飛び越えた後、河川の水が流れ込み難い部分（よどんだ水の存在する場所）で休息する等して、魚道を容易に遡上することができる。
【００３３】
この結果、この魚道構築物を、河川のダムや、堰堤や、頭首工や、滝等の落差の大きい場所に設置すれば、例えば、魚がなわばりを求めたり、魚が産卵等をしたりするために、川下から川上に遡上する魚の遡上率が向上するので、その分、河川に魚を増やすことができる。
【００３４】
請求項３に記載の魚道構造物は、段差部の下側となる平面部上に、第１の傾斜面の頂点部と、第１の傾斜面の底辺が、段差部を構成する、上側となる平面部と、縦壁面部とにより形成される稜線とが交わる交点との間を結ぶ辺に連続するように、起立壁に向かう第２の傾斜面を備えているので、この魚道構造物では、魚道を流れる河川の水の中、第１の傾斜面にぶつかった水の一部は分流し、流速を弱められた状態になって、第２の傾斜面を伝って、段差部の下側の平面部へ流れ落ちる水となる。
【００３５】
即ち、この魚道構造物では、段差部の下側の平面部の、第１の傾斜面の後ろ側（河川の川の水の流れに基づいて説明すれば、下流側）の、河川の水が流れ込み難い部分（よどんだ水の存在する場所）への水の供給が、第２の傾斜面を利用してなされる結果、魚道の段差部を遡上する魚は、段差部の縦壁面部を泳ぎ飛び越えた後、十分な量の水がある、河川の水が流れ込み難い部分（よどんだ水の存在する場所）に滞留できるので、段差部を泳ぎ飛び越えた後、河川の水が流れ込み難い部分（よどんだ水の存在する場所）で休息する等して、魚道を容易に遡上することができる。
【００３６】
また、魚道を利用して河川の上流側に遡上する魚は、魚道の段差部を泳ぎ飛び越える経路を選択したり、水の流れのある第２の傾斜面を利用して魚道を上方に遡上するという経路を選択したりすることで、河川を下流から上流方向に遡上できる。
【００３７】
この結果、この魚道構築物を、河川のダムや、堰堤や、頭首工や、滝等の落差の大きい場所に設置すれば、例えば、魚がなわばりを求めたり、魚が産卵等をしたりするために、川下から川上に遡上する魚の遡上率が向上するので、その分、河川に魚を増やすことができる。
【００３８】
請求項４に記載の魚道構造物では、起立壁として、河川の護岸を利用している。
【００３９】
魚種によっては、または、魚の習性として、河川を遡上する際に、河川の中央を遡上するのではなく、河川の岸辺や護岸や護岸の近傍を遡上する魚も沢山いるが、この魚道構造物は、河川の護岸を利用しているので、この魚道構造物を用いれば、そのような魚にとっても川下から川上への遡上が容易にできる。
【００４０】
この結果、この魚道構築物を、河川のダムや、堰堤や、頭首工や、滝等の落差の大きい場所に設置すれば、例えば、魚がなわばりを求めたり、魚が産卵等をしたりするために、川下から川上に遡上する魚の遡上率が向上するので、その分、河川に魚を増やすことができる。
【発明を実施するための最良の形態】
【００４１】
以下、本発明に係る魚道構造物を、図面を参照しながら、例示的に、更に、詳しく説明する。
（発明の実施の形態１）
図１は、本発明に係る魚道構造物の一例を摸式的に示す斜視図である。
【００４２】
この例では、魚道構造物１を、堰堤５の中央又は概ね中央に凹所Ｃを設け、魚道３を堰堤５に形成した凹所Ｃの下流側に設けた例を示している。
【００４３】
この魚道構造物１は、階段状に設けられた段差部２・・・を有する魚道３と、河川の水の流れる方向に、魚道３の両端に起立するように設けられた起立壁４ａ、４ｂとを備える。
【００４４】
図２は、図１に示す魚道構造物１の一部を、段差部２を中心に、摸式的に示す平面図であり、また、図３は、図１に示す魚道構造物１を、図２中、ＩＩＩ−ＩＩＩ線に従って切断した状態を摸式的に示す断面図である。
【００４５】
また、図４は、図１に示す魚道構造物１を、図２中、ＩＶ−ＩＶ線に従って切断した状態を摸式的に示す断面図であり、また、図５は、図２中、Ｖ−Ｖ線に従って切断した状態を摸式的に示す断面図である。
【００４６】
段差部２・・・の各々は、断面視した場合、河川の水の流れる方向に沿って、上側となる平面部６、縦壁面部７及び下側となる平面部８が連続するようにして形成されている。
【００４７】
より具体的に説明すると、段差部２は、河川の上流側から下流側に向かって、上側となる平面部６、上側となる平面部６の下流側の一端に下方に垂れ下がるように連続するように形成された縦壁面部７、及び、縦壁面部７の下端に連続するように形成された下側となる平面部８を備える。
【００４８】
尚、本明細書では、図示する上の便宜上、上下に隣接する２つの段差部２、２の、上側に位置する段差部２の下側となる平面部８を、下側に位置する段差部２の上側となる平面部６として表している。
【００４９】
魚道構造物１の以上の構成は、従来の魚道構造物１０１の構成と同様であるが、魚道構造物１は、特に、以下の構成を備えている点が、従来の魚道構造物１０１と異なっている。
【００５０】
即ち、この魚道構造物１は、段差部２・・・の上側となる平面部６・・・上に、第１の傾斜面１１を備える。
【００５１】
第１の傾斜面１１は、段差部２・・・の各々の上側となる平面部６上に、一対の起立壁４ａ、４ｂの一方の起立壁４ａから魚道３の中央方向に張出すように設けられている。
【００５２】
より特定的に説明すると、この魚道構造物は、第１の傾斜面１１が、その頂点部分ｖを起立壁４ａ上又は概ね上方位置に有し、且つ、第１の傾斜面１１を平面視した場合、図２に示すように、その底辺ｂ１１が、起立壁４ａと魚道３の段差部２の上側となる平面部６の、河川の水の流れる方向に沿う一端ｅ６ａとにより形成される谷線ｖｌａの途中の位置ｐｖｌａと、段差部２を構成する、上側となる平面部６と、縦壁面部７とにより形成される稜線ｍｒ６７の途中の位置ｐｍｒ６７との間を結ぶように設けられている。
【００５３】
また、この魚道構造物１は、第２の傾斜面１２を備える。
【００５４】
第２の傾斜面１２は、段差部２・・・の下側となる平面部８上に、第１の傾斜面１１の、頂点部ｖと、第１の傾斜面１１の底辺ｂ１１が、段差部２を構成する、上側となる平面部６と、縦壁面部７とにより形成される稜線ｍｒ６７とが交わる交点ｐｍｒ６７との間を結ぶ辺に連続するように、起立壁４ａに向かう方向に設けられている。
【００５５】
この例では、第２の傾斜面１２は、段差部２・・・の各々の下側となる平面部８上に、第２の傾斜面１２を平面視した場合、図２に示すように、その底辺ｂ１２が、段差部２の下側となる平面部８と縦壁面部７とにより形成される谷線ｖｌ７８の途中の位置ｐｖｌ７８と、段差部２を構成する、下側となる平面部８と、起立壁４ａとにより形成される谷線ｖｌｂ中の位置ｐｖｌｂとの間を結ぶように設けられている。
【００５６】
また、この例では、第２の傾斜面１２の底辺ｂ１２が、段差部２の下側となる平面部と縦壁面部７とにより形成される谷線ｖｌ７８と交わる位置（交点）ｐｖｌ７８が、第１の傾斜面１１と第２の傾斜面１２とにより形成される稜線ｍｒ１１１２の延長上に位置するようにしている。
【００５７】
尚、第１の傾斜面１１は、特に、以下の場合に限定されることはないが、河川の水の流れる方向に対し魚道３の中央方向へ張出す角度（図２中に示す角度θ１）は、３０度以上６０度以下、より好ましくは、４０度以上５０度以下、更に好ましくは、４５度又は概ね４５度である。
【００５８】
また、第１の傾斜面１１は、特に、以下の場合に限定されることはないが、河川の水の流れる方向に対し、段差部２の上側の平面部６に対する立設角度（図３中に示す角度θ２）は、３０度以上６０度以下、より好ましくは、４０度以上５０度以下、更に好ましくは、４５度又は概ね４５度である。
【００５９】
また、第１の傾斜面１１は、特に、以下の場合に限定されることはないが、段差部２の上側の平面部６に対し起立壁４ａ方向に対する立設角度（図４中に示す角度θ３）は、３０度以上６０度以下、より好ましくは、４０度以上５０度以下、更に好ましくは、４５度又は概ね４５度である。
【００６０】
また、第２の傾斜面１１は、特に、以下の場合に限定されることはないが、河川の水の流れる方向に対し起立壁４ａ方向へ向かう角度（図２中に示す角度θ４）は、４５度以上７５度以下、より好ましくは、５０度以上７０度以下、更に好ましくは、６０度又は概ね６０度である。
【００６１】
また、第２の傾斜面１２は、特に、以下の場合に限定されることはないが、河川の水の流れる方向に対し、段差部２の下側の平面部８に対する立設角度（図３中に示す角度θ５）は、１０度以上６０度以下、より好ましくは、２０度以上５０度以下、更に好ましくは、３０度又は概ね３０度である。
【００６２】
また、第２の傾斜面１２は、特に、以下の場合に限定されることはないが、段差部２の上側の平面部６に対し起立壁４ａ方向に対する立設角度（図５中に示す角度θ６）は、３０度以上６０度以下、より好ましくは、４０度以上５０度以下、更に好ましくは、４５度又は概ね４５度である。
【００６３】
魚道構造物１は、必要により基礎工事をし、また、必要により鉄筋を用い、次いで、魚道構造物を製造する型枠（図示せず。）を組み立て、製造型枠（図示せず。）内にコンクリートを流し込み、流し込んだコンクリートが硬化した後に、型枠（図示せず。）を分解（脱型）すること等により作製（設置）される（尚、この魚道構造物の作製（設置）の方法は、魚道構造物１Ｂ、１Ｃ及び１Ｄについても同様である。）。
【００６４】
この魚道構造物１は、段差部２・・・の上側となる平面部６・・・上に、起立壁４ａから魚道３の中央方向に張出すように設けられた第１の傾斜面１１を有するので、この魚道構造物１では、魚道３を流れる河川の水の中、第1の傾斜面１１にぶつかった水が、第1の傾斜面１１によって、河川の上流側から下流側に向かって斜め方向の流れになる。
【００６５】
そして、この魚道構造物１では、魚道３を、河川の上流側から下流側に向かって流れる河川の水の流れに、魚道を流れる河川の水の中、第１の傾斜面１１によって、河川の上流側から下流側に向かって斜め方向への水の流れが加わることで、魚道を、河川の上流側から下流側に向かって流れる水の流れが弱められたり、又は、第１の傾斜面１１の上流側の場所に、下流側から上流側に向かう渦が形成されたりする。
【００６６】
即ち、この魚道構造物１では、魚道３の段差部２・・・を遡上する魚が、段差部２・・・の各々を飛び跳ねて上って行く方向と逆方向への河川の水の流れが弱められているので、水の抵抗が小さくなった分、魚にとっては、容易に、段差部２・・・を遡上することができる。
【００６７】
また、この魚道構造物１では、第１の傾斜面１１を平面視した場合、その底辺ｂ１１が、起立壁４ａと魚道３の一端ｅ６ａとにより形成される谷線ｖｌａの途中の位置ｐｖｌａと、段差部２を構成する、上側となる平面部６と、縦壁面部７とにより形成される稜線ｍｒ６７との間を結ぶように設けているので、段差部２の下側の平面部８の、第１の傾斜面１１の後ろ側（河川の川の水の流れに基づいて説明すれば、下流側）には、河川の水が流れ込み難い部分（よどんだ水の存在する場所）が形成される。
【００６８】
この結果、魚道３の段差部を遡上する魚は、段差部２の縦壁面部７を泳ぎ飛び越えた後、河川の水が流れ込み難い部分（よどんだ水の存在する場所）に滞留できるので、段差部の飛び越えた後、河川の水が流れ込み難い部分（よどんだ水の存在する場所）で休息する等して、魚道を容易に遡上することができる。
【００６９】
更に、この魚道構造物１は、段差部２の下側となる平面部８上に、第１の傾斜面１１の頂点部ｖと、第１の傾斜面１１の底辺ｂ１１が、段差部２を構成する、上側となる平面部６と、縦壁面部７とにより形成される稜線ｍｒ６７とが交わる交点ｐｍｒ６７との間を結ぶ辺ｍｒ１１１２に連続するように、起立壁４ａに向かう第２の傾斜面１２を備えているので、この魚道構造物１では、魚道３を流れる河川の水の中、第1の傾斜面１１にぶつかった水の一部は、分流し、流速を弱められた状態になって、第２の傾斜面１２を伝って、段差部２の下側の平面部８へ流れ落ちる水となる。
【００７０】
即ち、この魚道構造物１では、段差部２の下側の平面部８の、第１の傾斜面１１の後ろ側（河川の川の水の流れに基づいて説明すれば、下流側）の、河川の水が流れ込み難い部分（よどんだ水の存在する場所）への水の供給が、第２の傾斜面１２を利用してなされる結果、魚道３の段差部２・・・を遡上する魚は、段差部２・・・の縦壁面部７・・・を飛び越えた後、十分な量の水がある、河川の水が流れ込み難い部分（よどんだ水の存在する場所）に滞留できるので、段差部を泳ぎ飛び越えた後、河川の水が流れ込み難い部分（よどんだ水の存在する場所）で休息する等して、魚道を容易に遡上することができる。
【００７１】
また、魚道３を利用して河川の上流側に遡上する魚は、魚道３の段差部２・・・を泳ぎ飛び越える経路を選択したり、水の流れのある第２の傾斜面１２・・・を利用して魚道３を上方に遡上するという経路を選択したりすることで、河川を下流から上流方向に遡上できる。
【００７２】
以上の結果、この魚道構築物１を、河川のダムや、堰堤や、頭首工や、滝等の落差の大きい場所に設置すれば、例えば、魚がなわばりを求めたり、魚が産卵等をしたりするために、川下から川上に遡上する魚の遡上率が向上するので、その分、河川に魚を増やすことができる。
（発明の実施の形態２）
図６は、本発明に係る魚道構造物の他の一例を摸式的に示す斜視図である。
【００７３】
図７は、図６に示す魚道構造物の一部を、段差部を中心に、摸式的に示す平面図であり、また、図８は、図６に示す魚道構造物を、図７中、ＶＩＩＩ−ＶＩＩＩ線に従って切断した状態を摸式的に示す断面図である。
【００７４】
また、図９は、図６に示す魚道構造物を、図６中、矢印ＩＸ方向から見た状態を摸式的に示す図である。
【００７５】
尚、この魚道構造物１Ａは、以下の構成を除けば、魚道構造物１と同様の構成を備えているので、魚道構造物１Ａの構成部材中、魚道構造物１の構成部材に相当する構成部材については、魚道構造物１の構成部材に付した参照符号を付して、その説明を省略する。
【００７６】
この魚道構造物１Ａは、堰堤５の護岸１０の近傍位置に凹所Ｃを設け、凹所Ｃの下流側に魚道３を設けている。
【００７７】
即ち、この魚道構造物１Ａでは、第１の傾斜面１１・・・及び第２の傾斜面１２・・・を設ける側の起立壁として、河川の護岸１０を利用している。
【００７８】
尚、この魚道構築物１Ａでは、河川の護岸１０が相当傾斜しているために、起立壁４ｂを、河川の水の流れる方向に沿って、段毎に、外方向に広げるようにしている。
【００７９】
即ち、河川の護岸１０が相当傾斜している場合に、起立壁４ｂを直線状に形成すると、魚道３の幅（段差部２・・・の幅）が上段から下段に行くに従って狭くなり、これにより、魚道３を流れる水が、上段から下段に行くに従って、急流になる、という問題が生じるが、この魚道構造物１Ａでは、起立壁４ｂを、河川の水の流れる方向に沿って、段毎に、外方向に広げることで、魚道３の幅を、段毎に、一定の幅としているので、上段から下段に行くに従って、急流になる、という問題が生じ難い。
【００８０】
尚、魚道構造物１Ａは、必要により基礎工事をし、また、必要により鉄筋を用い、次いで、魚道構造物を製造する型枠（図示せず。）を組み立て、製造型枠（図示せず。）内にコンクリートを流し込み、流し込んだコンクリートが硬化した後に、型枠（図示せず。）を分解（脱型）すること等により作製（設置）しても良く、また、例えば、第１の傾斜面１１と第２の傾斜面１２とを備える三角錐形状（図１２に示す、頂点部分の一部が切り取られ、側面視した場合、台形形状に見える形状のものを含む。）の構造物を予め、ブロック（例えば、コンクリート製のブロック）として製造し、このようなブロックを、例えば、アンカーボルト等の固定手段（ボルト手段、金具）を用い、護岸１０に取り付け、その根足を、例えば、コンクリート打設により、魚道３を構成する段差部２・・・や、起立壁４ｂを形成することで、根固めするようにして作製（設置）するようにしても良い。
【００８１】
この魚道構造物１Ａは、魚道構造物１とは、河川の護岸１０を起立壁４ａとして利用している構成以外は、魚道構造物１と同様の構成を備えているので、魚道構造物１と同様の効果を奏する。
【００８２】
従って、この魚道構築物１Ａを、河川のダムや、堰堤や、頭首工や、滝等の落差の大きい場所に設置すれば、例えば、魚がなわばりを求めたり、魚が産卵等をしたりするために、川下から川上に遡上する魚の遡上率が向上するので、その分、河川に魚を増やすことができる。
【００８３】
のみならず、魚種によっては、河川を遡上する際に、河川の中央を遡上するのではなく、河川の岸辺や護岸や護岸の近傍を遡上する魚が沢山いるが、この魚道構造物１Ａは、河川の護岸１０を利用しているので、この魚道構造物１Ａを用いれば、そのような魚にとっても川下から川上への遡上が容易にできる。
【００８４】
この結果、この魚道構築物１Ａを、河川のダムや、堰堤や、頭首工や、滝等の落差の大きい場所に設置すれば、例えば、魚がなわばりを求めたり、魚が産卵等をしたりするために、川下から川上に遡上する魚の遡上率が向上するので、その分、河川に魚を増やすことができる。
（発明の実施の形態３）
図１０は、本発明に係る魚道構造物の他の一例を摸式的に示す斜視図である。
【００８５】
図１１は、図１０に示す魚道構造物の一部を、段差部を中心に、摸式的に示す平面図である。
【００８６】
この魚道構造物１Ｂは、以下の構成を除けば、魚道構造物１と同様の構成を備えているので、魚道構造物１Ｂの構成部材中、魚道構造物１の構成部材に相当する構成部材については、魚道構造物１の構成部材に付した参照符号を付して、その説明を省略する。
【００８７】
この魚道構造物１Ｂでは、第１の傾斜面１１及び第２の傾斜面１２を、起立壁４ａ、４ｂの一方の起立壁（この例では起立壁４ａ）及び他方の起立壁（この例では起立壁４ｂ）の交互に設けている。
【００８８】
この魚道構造物１Ｂでは、第１の傾斜面１１及び第２の傾斜面１２を、起立壁４ａ、４ｂの一方の起立壁（この例では起立壁４ａ）及び他方の起立壁（この例では起立壁４ｂ）の交互に設けている、という構成以外は、魚道構造物１と同様の構成を備えているので、この魚道構造物１Ｂは、魚道構造物１と同様の効果を奏する。
【００８９】
また、この魚道構造物１Ｂでは、第１の傾斜面１１及び第２の傾斜面１２を、起立壁４ａ、４ｂの一方の起立壁（この例では起立壁４ａ）及び他方の起立壁（この例では起立壁４ｂ）の交互に設けているので、魚道３を流れる河川の水は、ジグザグに流れる。
【００９０】
即ち、この魚道構造物１Ｂでは、第１の傾斜面１１及び第２の傾斜面１２を、起立壁４ａ、４ｂの一方の起立壁（この例では起立壁４ａ）及び他方の起立壁（この例では起立壁４ｂ）の交互に設け、魚道３を流れる河川の水は、ジグザグに流れるようにすることで、段差部２・・・を遡上する魚にとって水の抵抗を小さくしているので、この魚道構造物１Ｂを用いれば、従来の魚道構造物１０１に比べ、川下から川上への魚の遡上が容易にできる。
【００９１】
この結果、この魚道構築物１Ｂを、河川のダムや、堰堤や、頭首工や、滝等の落差の大きい場所に設置すれば、例えば、魚がなわばりを求めたり、魚が産卵等をしたりするために、川下から川上に遡上する魚の遡上率が向上するので、その分、河川に魚を増やすことができる。
【００９２】
尚、上記した発明の実施の形態１、２及び３では、第１の傾斜面１１及び第２の傾斜面１２の各々として、その下方向から上方向に向かって次第に細くなる三角形状を有するものを中心にして説明したが、第１の傾斜面１１及び第２の傾斜面１２の各々は、三角形状を有するものに限定されることはない。
【００９３】
図１２は、本発明に係る魚道構造物の他の一例を、第１の傾斜面１１及び第２の傾斜面１２を中心にして、例示的に説明する図であり、図１２（ａ）は、本発明に係る魚道構造物の他の一例を、第１の傾斜面１１及び第２の傾斜面１２を中心にして、例示的に説明する平面図であり、また、図１２（ｂ）は、図１２（ａ）中、ＸＩＩ−ＸＩＩ線に従う、本発明に係る魚道構造物の他の一例を、第１の傾斜面１１及び第２の傾斜面１２を中心にして、説明する断面図である。
【００９４】
本発明に係る魚道構造物は、魚道３を流れる河川の水の量が多い際には、第１の傾斜面１１及び第２の傾斜面１２の各々の抵抗を減らすため、第１の傾斜面１１及び第２の傾斜面１２の各々として、その下方向から上方向に向かって次第に細くなる三角形状を有するものを用いることが好ましいが、第１の傾斜面１１及び第２の傾斜面１２の各々は、三角形状を有するものに限定されることはなく、図１２に例示的に示したような、頂点部分が切り掛かれた多角形の形状を有する魚道構造物とすることも考えられる。
【００９５】
また、上記した発明の実施の形態１、２及び３では、段差部２の縦壁面部７が上側の平面部６に対して９０度又は概ね９０度、及び、段差部２の縦壁面部７が下側の平面部８に対して９０度又は概ね９０度に設けられているものを中心に説明したが、本発明に係る魚道構造物の魚道に設ける段差部は、段差部２の縦壁面部７が上側の平面部６に対して９０度又は概ね９０度、及び、段差部２の縦壁面部７が下側の平面部８に対して９０度又は概ね９０度に設けられているものに限定されることはない。
【００９６】
図１３は、本発明に係る魚道構造物の他の一例を、段差部を中心にして、例示的に説明する図であり、図１３（ａ）は、本発明に係る魚道構造物の他の一例を、段差部を中心にして、例示的に説明する平面図であり、また、図１３（ｂ）は、図１３（ａ）中、ＸＩＩＩ−ＸＩＩＩ線に従う、本発明に係る魚道構造物の他の一例を、段差部２を中心にして、説明する断面図である。
【００９７】
本発明に係る魚道構造物には、例えば、図１３に示すような、段差部２Ａを形成する、下側の平面部８と、縦壁面部７Ａとが、角度θ７が鋭角（θ７＜９０度）の場合であっても、第１の傾斜面１１及び／又は第２の傾斜面１２Ａを備える、魚道構造物１Ｄも含まれる。
【００９８】
尚、段差部２Ａを形成する、下側の平面部８と、縦壁面部７Ａとがなす角度（図１３（ｂ）中に示す角度θ７）が、鋭角（θ７＜９０度）の場合には、特に、以下の場合に限定されることはないが、例えば、第２の傾斜面１２Ａを設ける場合にあっては、以下のようにして、第２の傾斜面１２Ａを形成する。
【００９９】
まず、図２に示した、魚道構造物１と同様の、縦壁面部７が、上側の平面部６及び下側の平面部８に対して、９０度又は概ね９０度に設けられている場合と同様の第２の傾斜面１２を設計する。  
【０１００】
次に、魚道構造物１と同様の、第２の傾斜面１２を平面視した場合に、第２の傾斜面１２の底辺ｂ１２（図７中の底辺ｂ１２を参照）が、縦壁面部７Ａと下側の平面部８とにより形成される谷線ｖｌ７Ａ８と交わる位置ｐｖｌ７Ａ８と、第２の傾斜面１２の底辺ｂ１２（図７中の底辺ｂ１２を参照）が、河川の上流側から下流側方向に、起立壁４ａと下側の平面部８とにより形成される谷線ｖｌｂと交わる位置ｐｖｌｂとの間に、第２の傾斜面１２Ａの第１の底辺ｂ１２Ａを形成する。
【０１０１】
また、第１の傾斜面１１が、上側の平面部６と、縦壁面部７Ａとにより形成される稜線ｍｒ６７Ａと交わる位置ｐｍｒ６７Ａと、位置ｐｖｌ７Ａ８との間に第２の傾斜面１２Ａの第１の底辺ｂ１２Ｂを形成する。
【０１０２】
次いで、縦壁面部７Ａと下側の平面部８とにより形成される谷線ｖｌ７Ａ８と交わる位置ｐｖｌ７Ａ８から、第一の傾斜面１１の底辺ｂ１１が、縦壁面部７Ａと上側の平面部６とにより形成される稜線ｍｒ６７Ａと交わる位置ｐｍｒ６７Ａの間を結ぶ第二の底面ｂ１２Ｂを有し、且つ、第１の傾斜面１１の頂点部ｖ、位置ｐｍｒ６７Ａ、位置ｐｖｌ７Ａ８及び位置ｐｖｌｂとを通る面を第２の傾斜面１２Ａとする。
【０１０３】
また、例えば、図１４に示す魚道構造物も、本願発明に含まれる。
【０１０４】
この魚道構造物１Ｅは、以下の構成を除けば、魚道構造物１Ａと同様であるので、魚道構造物１Ｅを構成する構成部材中、魚道構造物１Ａの構成部材に相当する構成部材については、魚道構造物１Ａの構成部材に付した参照符号を付して、その説明を省略する。
【０１０５】
この魚道構造物１Ｅは、魚道構造物１Ａの起立壁４ｂに代えて、上側の平面部６・・・（又は下側の平面部８・・・）の各々に、柱状物４ｃ・・・を設けている。
【０１０６】
尚、魚道構造物１Ｅは、必要により基礎工事をし、また、必要により鉄筋を用い、次いで、魚道構造物を製造する型枠（図示せず。）を組み立て、製造型枠（図示せず。）内にコンクリートを流し込み、流し込んだコンクリートが硬化した後に、型枠（図示せず。）を分解（脱型）すること等により作製（設置）しても良く、また、例えば、第１の傾斜面１１と第２の傾斜面１２とを備える三角錐形状（図１２に示す、頂点部分の一部が切り取られ、側面視した場合、台形形状に見える形状のものを含む。）の構造物を予め、ブロック（例えば、コンクリート製のブロック）として製造し、このようなブロックを、例えば、アンカーボルト等の固定手段（ボルト手段、金具）を用い、護岸１０に取り付け、その根足を、例えば、コンクリート打設により、魚道３を構成する段差部２・・・や、柱状物４ｃ・・・
を形成することで、根固めするようにして作製（設置）するようにしても良い。
【０１０７】
また、この例では、柱状物４ｃの各々として、第一の傾斜面１１に対し所定の間隔を隔てるようにして平行又は概ね平行に設けられた傾斜面２１と、第二の傾斜面１２に対し所定の間隔を隔てるようにして平行又は概ね平行に設けられた傾斜面２２とを備える平面視した場合、三角形状又は概ね三角形状を有するものを用い、魚道３を流れる河川の水が概ねジグザグ状に流れるように、且つ、柱状物４ｃ・・・隙間から、魚道３を流れる河川の水の一部が河川に戻ることができるようにすることで、魚道３を流れる水の量を減らすことで、魚道３を流れる水の流れを緩やかにしている。
【０１０８】
この魚道構築物１Ｅを、河川のダムや、堰堤や、頭首工や、滝等の落差の大きい場所に設置すれば、例えば、魚がなわばりを求めたり、魚が産卵等をしたりするために、川下から川上に遡上する魚の遡上率が向上するので、その分、河川に魚を増やすことができる。
【０１０９】
尚、上記発明を実施するための最良の形態中において説明した、魚道構造物１、１Ａ、１Ｂ、１Ｃ、１Ｄ及び１Ｅは、単に、本発明に係る魚道構造物を説明するためにのみ用いたものであって、本発明に係る魚道構造物は、魚道構造物１、１Ａ、１Ｂ、１Ｃ、１Ｄ及び１Ｅによって何等限定されることはない。
【産業上の利用可能性】
【０１１０】
本発明に係る魚道は、魚にとって遡上をし易い構成を備えており、河川に魚を増やすのに好適であるので、産業上の利用可能性が高い。
【図面の簡単な説明】
【０１１１】
【図１】本発明に係る魚道構造物の一例を摸式的に示す斜視図である。
【図２】図１に示す魚道構造物の一部を、段差部を中心に、摸式的に示す平面図である。
【図３】図１に示す魚道構造物を、図２中、ＩＩＩ−ＩＩＩ線に従って切断した状態を摸式的に示す断面図である。
【図４】図１に示す魚道構造物を、図２中、ＩＶ−ＩＶ線に従って切断した状態を摸式的に示す断面図である。
【図５】図２中、Ｖ−Ｖ線に従って切断した状態を摸式的に示す断面図である。
【図６】本発明に係る魚道構造物の他の一例を摸式的に示す斜視図である。
【図７】図６に示す魚道構造物の一部を、段差部を中心に、摸式的に示す平面図である。
【図８】図６に示す魚道構造物を、図７中、ＶＩＩＩ−ＶＩＩＩ線に従って切断した状態を摸式的に示す断面図である。
【図９】図６に示す魚道構造物を、図１中、矢印ＩＸ方向から見た状態を摸式的に示す図である。
【図１０】本発明に係る魚道構造物の他の一例を摸式的に示す斜視図である。
【図１１】図１０に示す魚道構造物の一部を、段差部を中心に、摸式的に示す平面図である。
【図１２】本発明に係る魚道構造物の他の一例を、第１の傾斜面及び第２の傾斜面を中心にして、例示的に説明する図であり、図１２（ａ）は、本発明に係る魚道構造物の他の一例を、第１の傾斜面及び第２の傾斜面を中心にして、例示的に説明する平面図であり、また、図１２（ｂ）は、図１２（ａ）中、ＸＩＩ−ＸＩＩ線に従う、本発明に係る魚道構造物の他の一例を、第１の傾斜面及び第２の傾斜面を中心にして、説明する断面図である。
【図１３】本発明に係る魚道構造物の他の一例を、段差部を中心にして、例示的に説明する図であり、図１３（ａ）は、本発明に係る魚道構造物の他の一例を、段差部を中心にして、例示的に説明する平面図であり、また、図１３（ｂ）は、図１３（ａ）中、ＸＩＩＩ−ＸＩＩＩ線に従う、本発明に係る魚道構造物の他の一例を、段差部２を中心にして、説明する断面図である。
【図１４】本発明に係る魚道構造物の他の一例の一部を摸式的に示す平面図である。
【図１５】従来の魚道構造物の一例を摸式的に示す斜視図である。
【図１６】図１５に示す従来の魚道構造物の一部を、段差部を中心に、摸式的に示す平面図である。
【図１７】図１５に示す従来の魚道構造物を、図１６中、ＸＶＩＩ−ＸＶＩＩ線に従って切断した状態を摸式的に示す断面図である。
【符号の説明】
【０１１２】
１、１Ａ、１Ｂ、１Ｃ、１Ｄ、１Ｅ  魚道構造物
２、２Ａ  段差部
３  魚道
４ａ、４ｂ  起立壁
５  堰堤
６  上側の平面部
７、７Ａ  縦壁面部
８  下側の平面部
１０  河川の護岸
１１  第１の傾斜面
１２、１２Ａ  第２の傾斜面
【図１】
2008184762.tif 000003
【図２】
2008184762.tif 000004
【図３】
2008184762.tif 000005
【図４】
2008184762.tif 000006
【図５】
2008184762.tif 000007
【図６】
2008184762.tif 000008
【図７】
2008184762.tif 000009
【図８】
2008184762.tif 000010
【図９】
2008184762.tif 000011
【図１０】
2008184762.tif 000012
【図１１】
2008184762.tif 000013
【図１２】
2008184762.tif 000014
【図１３】
2008184762.tif 000015
【図１４】
2008184762.tif 000016
【図１５】
2008184762.tif 000017
【図１６】
2008184762.tif 000018
【図１７】
2008184762.tif 000019